(57)【特許請求の範囲】
【請求項１】
通信装置であって、
受入可能なセルを特定する手段と、
前記セルによってサポートされている無線アクセス技術、すなわちＲＡＴを確定する手段と、
前記確定されたＲＡＴが、前記セルが回路交換（ＣＳ）緊急呼サービスを提供することができることを示す場合、該セルを選択する手段と、
前記確定されたＲＡＴが、前記セルが前記ＣＳ緊急呼サービスもパケット交換（ＰＳ）緊急呼サービスも提供することができないことを示す場合、該セルを拒否する手段と、
を備える、通信装置。
【請求項２】
前記特定する手段、前記確定する手段、前記拒否する手段、及び前記選択する手段は、前記装置が限定サービス動作モードになることに応答する、請求項１に記載の装置。
【請求項３】
前記装置がオンに切り換えられたとき、ＳＩＭが利用可能でない場合、ネットワークへの前記装置の登録が拒否されたとき、又は適切なセルが見つからなかったとき、前記限定サービス動作モードになるように動作可能である、請求項２に記載の装置。
【請求項４】
前記装置はＬＴＥ装置であり、前記特定されたセルの前記確定されたＲＡＴがＥ−ＵＴＲＡである場合、前記拒否する手段は、前記セルが、別のセルへの前記装置のリダイレクトなしで緊急呼サービスを提供することができない場合、該セルを拒否するように動作可能である、請求項１〜３のいずれか一項に記載の装置。
【請求項５】
前記確定する手段が、前記無線アクセス技術がＥ−ＵＴＲＡであると確定する場合、該確定する手段は、前記セルによって出力されたシステム情報を取得すると共に、該セルシステム情報を処理して、前記セルがリダイレクトなしで緊急呼サービスを実行することができるか否かを確定するように動作可能である、請求項４に記載の装置。
【請求項６】
前記確定する手段は、前記システム情報を処理して、リダイレクトなしで緊急呼サービスが利用可能であるか否かを示す、前記セルのパラメーターの値を特定するように動作可能である、請求項５に記載の装置。
【請求項７】
前記セルは、複数の公衆地上移動ネットワーク（ＰＬＭＮ）によって使用され、前記システム情報は、前記ＰＬＭＮが緊急呼サービスを提供するか否かを示す、該ＰＬＭＮ毎のパラメーターを含み、前記選択する手段は、リダイレクトなしで緊急呼サービスを提供するＰＬＭＮに前記装置を登録するように動作可能である、請求項６に記載の装置。
【請求項８】
前記パラメーターは、前記セルがＶｏＩＰサービスをサポートすることができるか否かを特定し、前記確定する手段は、前記セルが前記ＶｏＩＰサービスをサポートすることができる場合、前記セルが、別のセルへの前記装置のリダイレクトなしで緊急呼サービスを提供することができることを確定するように動作可能である、請求項６又は７に記載の装置。
【請求項９】
前記パラメーターは、前記セルがＣＳフォールバックをサポートすることができるか否かを特定し、前記確定する手段は、前記セルがＣＳフォールバックをサポートしない場合、前記セルが、別のセルへの前記装置のリダイレクトなしで緊急呼サービスを提供することができることを確定するように動作可能である、請求項６又は７に記載の装置。
【請求項１０】
前記拒否する手段は、前記セルがＥ−ＵＴＲＡセルであるか否かに応じて該セルを拒否するように動作可能である、請求項１〜９のいずれか一項に記載の装置。
【請求項１１】
通信装置によって実行される通信方法であって、
受入可能なセルを特定すること、
前記セルによってサポートされている無線アクセス技術、すなわちＲＡＴを確定すること、
前記確定されたＲＡＴが、前記セルが回路交換（ＣＳ）緊急呼サービスを提供することができることを示す場合、該セルを選択すること、及び
前記確定されたＲＡＴが、前記セルが前記ＣＳ緊急呼サービスもパケット交換（ＰＳ）緊急呼サービスも提供することができないことを示す場合、該セルを拒否すること、
を含む、方法。
【請求項１２】
前記特定すること、前記確定すること、前記拒否すること、及び前記選択することは、前記装置が限定サービス動作モードになることに応答する、請求項１１に記載の方法。
【請求項１３】
前記装置がオンに切り換えられたとき、ＳＩＭが利用可能でない場合、ネットワークへの前記装置の登録が拒否されたとき、又は適切なセルが見つからなかったときに実行される、請求項１２に記載の方法。
【請求項１４】
前記装置はＬＴＥ装置であり、前記特定されたセルの前記確定されたＲＡＴがＥ−ＵＴＲＡである場合、前記拒否するステップは、前記セルが、別のセルへの前記装置のリダイレクトなしで緊急呼サービスを提供することができない場合、該セルを拒否する、請求項１１〜１３のいずれか一項に記載の方法。
【請求項１５】
前記確定するステップが、前記無線アクセス技術がＥ−ＵＴＲＡであると確定する場合、前記セルによって出力されたシステム情報を取得すること、及び、該セルシステム情報を処理することであって、前記セルがリダイレクトなしで緊急呼サービスを実行することができるか否かを確定する、処理することを含む、請求項１４に記載の方法。
【請求項１６】
前記処理するステップは、前記システム情報を処理して、リダイレクトなしで緊急呼サービスが利用可能であるか否かを示す、前記セルのパラメーターの値を特定する、請求項１５に記載の方法。
【請求項１７】
前記セルは、複数の公衆地上移動ネットワーク（ＰＬＭＮ）によって使用され、前記システム情報は、前記ＰＬＭＮが緊急呼サービスを提供するか否かを示す、該ＰＬＭＮ毎のパラメーターを含み、前記選択するステップは、リダイレクトなしで緊急呼サービスを提供するＰＬＭＮに前記装置を登録する、請求項１６に記載の方法。
【請求項１８】
前記パラメーターは、前記セルがＶｏＩＰサービスをサポートすることができるか否かを特定し、前記確定するステップは、前記セルが前記ＶｏＩＰサービスをサポートすることができる場合、前記セルが、別のセルへの前記装置のリダイレクトなしで緊急呼サービスを提供することができることを確定する、請求項１６又は１７に記載の方法。
【請求項１９】
前記パラメーターは、前記セルがＣＳフォールバックをサポートすることができるか否かを特定し、前記確定するステップは、前記セルがＣＳフォールバックをサポートしない場合、前記セルが、別のセルへの前記装置のリダイレクトなしで緊急呼サービスを提供することができることを確定する、請求項１６又は１７に記載の方法。
【請求項２０】
前記拒否するステップは、前記セルがＥ−ＵＴＲＡセルであるか否かに応じて該セルを拒否する、請求項１１〜１９のいずれか一項に記載の方法。
【請求項２１】
請求項１〜１０のいずれか一項に記載の通信装置と、前記セルラー通信装置と通信するように動作可能な通信ノードとを備える通信システムであって、該通信ノードは、
該通信ノードのセルの動作に関するシステムセル情報を、前記セルラー通信装置による使用のために出力するように動作可能な出力と、
前記セルラー通信装置に応答し、前記通信ノードの前記セルに該セルラー通信装置を登録する登録装置と、
を備える、通信システム。
【請求項２２】
セルラー通信装置であって、
受入可能なセルを特定し、
前記セルによってサポートされている無線アクセス技術、すなわちＲＡＴを確定し、
前記確定されたＲＡＴが、前記セルが回路交換（ＣＳ）緊急呼サービスを提供することができることを示す場合、該セルを選択すると共に、
前記確定されたＲＡＴが、前記セルが前記ＣＳ緊急呼サービスもパケット交換（ＰＳ）緊急呼サービスも提供することができないことを示す場合、該セルを拒否する
ように動作可能なセル選択モジュールを備える、セルラー通信装置。
【請求項２３】
プログラム可能なコンピューター装置に請求項１１〜２０のいずれか一項に記載の方法を実行させためのコンピューター実施可能命令を含むプログラム。
【発明の詳細な説明】
【技術分野】
【０００１】
本発明は、ＵＴＲＡＮのロングタームエボリューション（ＬＴＥ）（発展型ユニバーサル陸上無線アクセスネットワーク（Ｅ−ＵＴＲＡＮ）と呼ばれる）に従って動作するセルラー通信装置、及びＥ−ＵＴＲＡＮ内の通信ノードの動作に関する。本発明は特に、そのようなセルラー通信装置が限定されたサービス動作状態で動作しているときに、該セルラー通信装置に緊急呼サービスを提供することに関する。
【０００２】
この出願は、２００８年８月２８日付けで出願された英国特許出願第０８１５６７９．６号からの優先権に基づき、該優先権の利益を主張するものであり、該特許出願の開示は参照によりその全体が本明細書に援用される。
【背景技術】
【０００３】
移動通信ネットワークにおいて、無線カバレッジの下にあるユーザー機器（ＵＥ）が、該ＵＥが（Ｕ）ＳＩＭカードを有しないとき、又はネットワークへのＵＥの登録が失敗したときであっても、常に緊急呼を発することができることに対する要求が存在する。したがって、移動通信ネットワーク内で、ＵＥがそのような緊急呼を発することを可能にするための対処が行われなくてはならない。
【０００４】
３ＧＰＰは、Ｅ−ＵＴＲＡネットワークがパケット交換（ＰＳ）ネットワークのみとなり、そのため回路交換（ＣＳ）サービスは実施されないことを規定した。これは、音声トラフィックがボイスオーバーＩＰ（ＶｏＩＰ）を使用して実行されなくてはならないことを意味する。しかしながら、ＶｏＩＰの実装に伴うコストに起因して、３ＧＰＰは、Ｅ−ＵＴＲＡＮがリリース８においてＶｏＩＰをサポートしない可能性を検討し、以後のリリースにおいてＶｏＩＰをオプションにすることを構想している。したがって、３ＧＰＰは、ＬＴＥセルにとどまるＵＥに音声呼サービスを提供するために、音声呼要求を、ＣＳ呼をサポートするセルにリダイレクトするメカニズムを規定した。このメカニズムは、ＣＳフォールバックと呼ばれ、３ＧＰＰ標準規格文書ＴＳ２３．２７２に記載されている。本質的に、このメカニズムは、ＵＥがセルを音声サービスをサポートするセル、通常ＣＳドメインをサポートするＧＳＭセル又はＵＴＲＡセルに変更することを要求することを可能にする。
【０００５】
緊急呼は音声呼であるため、このＣＳフォールバックメカニズムは緊急呼を確立するのに使用されることが構想される。しかしながら、本発明者らは、これによって多数の問題が生じると認識している。第１に、現在のＣＳフォールバック手順は、該手順が使用可能になる前にＵＥが通常サービス（NORMAL SERVICE）で登録されることを必要とする。これは、現在のＣＳフォールバック手順が、ＵＥがＥ−ＵＴＲＡネットワークに「サービング要求」を送信することを必要とし、ＵＥが限定サービス（LIMITED SERVICE）でセルに登録されているとき、ネットワークはそのような要求を拒否するように構成されるためである。したがって、現在のＣＳフォールバック手順では、ＵＥが限定サービスモードにあるとき、緊急呼を発することができない。さらに、ＣＳフォールバック手順が、セルが要求を受け取ることを可能にするように修正されるとしても、他の技術的問題が残る。特に、ＣＳフォールバックは、ＲＡＴ間モビリティ手順の実施を必要とし、該手順はＵＥとネットワークとの間でさらなるメッセージの交換を必要とし、いくつかの場合、何らかのＵＥ測定が行われることを必要とする。これらのさらなる手順は、さらなるシグナリングオーバーヘッドを必要とし、緊急呼失敗の尤度を高めると共に、緊急呼確立の重大な遅延をもたらす可能性がある。
【発明の概要】
【発明が解決しようとする課題】
【０００６】
本発明は、ＵＥがＥ−ＵＴＲＡカバレッジの下で該ＵＥの限定サービスモードで動作しているときに、該ＵＥから緊急呼を発することができることを確実にする代替的な方法を提供することを目的とする。
【課題を解決するための手段】
【０００７】
１つの実施の形態では、これは、ＵＥが、該ＵＥの限定サービスモードにあるときにセルに登録しているとき、音声呼サービスを提供することができるセルに登録することを確実にすることによって達成される。ＵＥは、これをセルによってブロードキャストされたシステム情報内に存在する情報から推測することもできるし、セルのブロードキャスト情報内に、該セルが緊急呼サービスを提供することができるか否かを特定する新たなパラメータを含めるようにセルを構成することもできる。
【０００８】
１つの態様によれば、本発明は、通信装置であって、受入可能なセルを特定する手段と、セルによってサポートされている無線アクセス技術、すなわちＲＡＴを確定する手段と、確定されたＲＡＴが、セルが回路交換（ＣＳ）緊急呼サービスを提供することができることを示す場合、該セルを選択する手段と、確定されたＲＡＴが、セルがＣＳ緊急呼サービスもパケット交換（ＰＳ）緊急呼サービスも提供することができないことを示す場合、該セルを拒否する手段とを備える、通信装置を提供する。
【０００９】
別の態様によれば、本発明は、移動通信装置であって、受入可能なセルを特定する手段と、該受入可能なセルが、別のセルへの装置のリダイレクトなしで緊急呼サービスを提供することができるか否かを確定する手段と、受入可能なセルがリダイレクトなしで緊急呼サービスを提供することができない場合、該セルを拒否する手段と、該セルがリダイレクトなしで緊急呼サービスを提供することができる場合、該セルを選択する手段とを備える、移動通信装置を提供する。
【００１０】
受入可能なセルの特定は、利用可能な周波数の走査を含んでもよく、又は以前の走査情報の使用を含んでもよい。
【００１１】
受入可能なセルが、別のセルへの装置のリダイレクトなしで緊急呼サービスを提供することができるか否かの確定は、受入可能なセルによってサポートされている無線アクセス技術を確定することを含むことができる。セルの無線アクセス技術がＥ−ＵＴＲＡである場合、確定する手段は、セルによって出力されるセルシステム情報を取得することができ、該セルシステム情報を処理して、該セルがリダイレクトなしで緊急呼サービスを実行することができるか否かを確定することができる。この処理は、リダイレクトなしで緊急呼サービスが利用可能であるか否かを示す、セルのパラメータの値を特定することを含むことができる。セルの無線アクセス技術がＥ−ＵＴＲＡでない場合、確定する手段は、セルが緊急呼サービスを提供可能であると推測することができる。
【００１２】
セルが複数の公衆地上移動通信網（ＰＬＭＮ）によって使用される場合、セルシステム情報は、各ＰＬＭＮについて該ＰＬＭＮが緊急呼サービスを提供するか否かを示すパラメータを含むことができ、選択する手段は、リダイレクトなしで緊急呼サービスを提供するＰＬＭＮに移動電話を登録することができる。
【００１３】
セルシステム情報内の情報は、セルがリダイレクトなしで緊急呼サービスを実行することができるか否かを間接的に特定することができる。例えば、パラメーターは、セルがＶｏＩＰサービスをサポートすることができるか否かを特定することができ、サポートする場合、確定する手段は、セルがＶｏＩＰサービスをサポートすることができるならば、該セルが、別のセルへの装置のリダイレクトなしで緊急呼サービスを提供することができると推測することができる。代替的に、パラメーターは、セルがＣＳフォールバックをサポートすることができるか否かを特定することができる。サポートすることができる場合、確定する手段は、セルが、別のセルへの装置のリダイレクトなしで緊急呼サービスを提供することができないと推測することができる。セルがＣＳフォールバックをサポートすることができない場合、確定する手段は、緊急呼サービスがサポートされている場合があると推測することができる（ただし、これを確定するにはシステム情報におけるさらなる情報が必要である場合がある）。
【００１４】
移動通信装置の上記の動作は、装置が限定サービス動作モードに入ると実行することができる。そのような限定サービス動作モードは、装置がオンに切り換えられるとき、ＳＩＭが利用可能でない場合、ネットワークへの装置の登録が拒否されたとき、又は適切なセルが見つからなかったときに発生する場合がある。
【００１５】
本発明のこの態様は、移動通信装置によって実行される方法であって、受入可能なセルを特定すること、受入可能なセルが、別のセルへの装置のリダイレクトなしで緊急呼サービスを提供することができるか否かを確定すること、上記確定するステップが、受入可能なセルがリダイレクトなしで緊急呼サービスを提供することができないと確定する場合、該セルを拒否すること、上記確定するステップが、セルがリダイレクトなしで緊急呼サービスを提供することができると確定する場合、該セルを選択することを含む、方法も提供する。
【００１６】
好ましい実施の形態では、Ｅ−ＵＴＲＡ通信ノードは、上述したセル選択手順をサポートするようになっている。これは、通信ノードのセルが、別のセルへの移動通信装置のリダイレクトなしで、登録された移動通信装置に緊急サービスを提供するか否かを特定する少なくとも１つのパラメーターを、Ｅ−ＵＴＲＡ通信ノードが（例えばセルのブロードキャストチャネル上で）出力することによって行われる。この情報によって、移動通信装置は、より容易に上述した確定を行うことが可能になる。１つの実施の形態では、複数の公衆地上移動ネットワーク（ＰＬＭＮ）がセルを共有する場合、通信ノードは、各ＰＬＭＮに関連付けられる、該ＰＬＭＮがリダイレクトなしで緊急呼サービスを提供することができるか否かを特定するパラメーターを出力することができる。
【００１７】
本発明は、プログラム可能なコンピューター装置を、上記の移動装置又は上記のＥ−ＵＴＲＡ通信ノードとして構成させるためのコンピューター実施可能命令を含むコンピューター実施可能命令製品も提供する。該製品は、コンピューター可読媒体、又は命令を搬送する信号を含むことができる。
【００１８】
本発明のこれらの態様及び様々な他の態様は、添付の図面を参照して例示としてのみ説明される実施形態の以下の詳細な説明から明らかとなろう。
【図面の簡単な説明】
【００１９】
【図１】実施形態が適用可能であるタイプの移動通信システムを概略的に示す図である。
【図２】図１に示すシステムの一部を形成するＥ−ＵＴＲＡ無線アクセスネットワーク及びコアネットワークの構成要素を示すブロック図である。
【図３】図１に示すシステムの一部を形成する移動通信装置の構成要素を示すブロック図である。
【図４】図３に示す移動通信装置の複数の異なる状態、及びそれらの状態間で遷移がどのように達成され得るのかを示す状態遷移図である。
【図５】図３に示す移動通信装置が、該移動装置を登録するセルを選択するときに、該移動装置によって実行されるステップを示すフローチャートである。
【発明を実施するための形態】
【００２０】
概観
図１は、移動電話３と、３つの無線アクセスネットワーク５−１、５−２、及び５−３と、対応するコアネットワーク７−１、７−２、及び７−３とを有する移動（セルラー）通信システム１の一部を概略的に示している。無線アクセスネットワーク５のそれぞれは、それぞれのセル内の移動電話３と通信するように動作する。該セルは図１においてそれぞれＣ１、Ｃ２、及びＣ３とラベル付けされた破線の円によって示されている。示される図において、移動電話３は、全てのセルの範囲内にあり、したがって、３つの無線アクセスネットワーク５のうちの任意のものに登録することができ、選択された無線アクセスネットワーク５、該無線アクセスネットワークの関連付けられるコアネットワーク７、及び電話ネットワーク９を介して、他のユーザー（図示せず）と通信することが可能である。この実施形態では、無線アクセスネットワーク５−１及び５−２はＥ−ＵＴＲＡアクセスネットワークであり、無線アクセスネットワーク５−３はＧＳＭアクセスネットワークである。移動電話３がＬＴＥに準拠する場合、該移動電話は、通常Ｅ−ＵＴＲＡ無線アクセスネットワーク５−１又は５−２に登録する。しかしながら、下記でより詳細に説明するように、この実施形態では、これは移動電話３のサービス状態、並びにＥ−ＵＴＲＡコアネットワーク７−１及び７−２の音声呼能力に依拠する。
【００２１】
３ＧＰＰ標準規格によれば、緊急呼は、ネットワーク内で優先的に確立される音声呼であり、以下の任意の時点において利用可能でなくてはならない。
１）ＵＥ（例えば移動電話３）が公衆地上移動ネットワーク（ＰＬＭＮ）に首尾よくアタッチしているとき。この場合、ＵＥは、「適切な」セルにとどまり、通常サービスでネットワークに登録される。
２）ＵＥがＰＬＭＮに依然としてアタッチしていないとき、アタッチ手順が拒否されたとき、又は（Ｕ）ＳＩＭが利用可能でないとき。この場合、ＵＥは「受入可能な」セルにとどまり、限定サービスで登録される。この状態では、緊急呼のみが権限を有する。
【００２２】
本実施形態は、上記で論考した第２のシナリオに関し、移動電話３が音声呼サービスを提供することができるセルにのみ登録するように、移動電話３が登録すべきセルを選択するときに該移動電話によって実行されるセル選択手順を変更することを提案する。
【００２３】
無線アクセスネットワーク及びコアネットワーク
各無線アクセスネットワーク５は、それぞれが異なるサービスを移動電話３に提供する複数の異なるセルを操作することができるが、この実施形態では、各無線アクセスネットワーク５が単一のセルを操作すると想定される。また、Ｅ−ＵＴＲＡコアネットワーク７−１は音声呼サービスを提供せず、Ｅ−ＵＴＲＡコアネットワーク７−２及びＧＳＭコアネットワーク７−３は音声呼サービスを提供すると想定される。図２は、この実施形態において使用される無線アクセスネットワーク５−２及びコアネットワーク７−２の主要構成要素を示すブロック図である。図示されるように、無線アクセスネットワーク５−２は、１つ又は複数のアンテナ２２を介して移動電話３に対し信号を送受信するように動作可能であると共に、コアネットワークインターフェース２３を介してコアネットワーク７−２に対して信号を送受信するように動作可能な送受信機回路２１を備える。無線アクセスネットワーク５−２は、無線アクセスネットワーク５−２の動作を、メモリ内に記憶されているソフトウェアに従って操作するコントローラも含むが、これらは単純にするために示されていない。
【００２４】
コアネットワーク７−２は、コアネットワーク７−２の動作を制御すると共にＲＡＮインターフェース２７を介して無線アクセスネットワーク５−２に対してデータを送受信するように動作可能であると共に、電話ネットワークインターフェース２８を介して電話ネットワーク９に対してデータを送受信するように動作可能であるコントローラー２５を備える。図示されるように、コントローラー２５は、コアネットワーク７−２の動作を、メモリ２９内に記憶されているソフトウェアに従って制御する。ソフトウェアは、中でも、オペレーティングシステム３１と、登録モジュール３３と、ＶｏＩＰモジュール３４とを含む。登録モジュール３３は、無線アクセスネットワーク５−２に登録された移動電話３及び該移動電話のサービス状態（例えば、通常サービス又は限定サービス）の記録を維持し、ＶｏＩＰモジュール３４は、登録された移動電話３に音声呼サービスを提供する。コアネットワーク７−１は、ＶｏＩＰモジュール３４を有せず、したがって音声呼サービスを提供することができないという点を除いてコアネットワーク７−２と同様である。
【００２５】
移動電話
図３は、図１に示す移動電話３の主要構成要素を概略的に示している。図示されるように、移動電話３は、１つ又は複数のアンテナ７３を介して、選択された無線アクセスネットワーク５に対して信号を送受信するように動作可能な送受信機回路７１を備える。図示されるように、移動電話３は、該移動電話３の動作を制御すると共に、送受信機回路７１、並びにスピーカー７７、マイクロフォン７９、ディスプレイ８１、及びキーパッド８３に接続されるコントローラー７５も備える。コントローラー７５はメモリ８５内に記憶されているソフトウェアモジュールに従って動作する。図示されるように、これらのソフトウェアモジュールは、中でも、オペレーティングシステム８７と、セル選択モジュール８９と、緊急呼モジュール９１とを含む。セル選択モジュール８９は、移動電話３が登録すべき無線アクセスネットワーク５を選択しているときにセル選択プロセス（下記でより詳細に説明する）を制御するように動作し、緊急呼モジュール９１は、移動電話３のユーザーが緊急音声呼を要求すると共に発することを可能にするように動作する。
【００２６】
上記の説明では、コアネットワーク７及び移動電話３の双方を、理解を容易にするために、様々な別個のソフトウェアモジュールを有するものとして説明した。これらのソフトウェアモジュールは、このように、例えば既存のシステムが本発明を実施するために変更された、特定の用途で提供されてもよいが、他の用途、例えば本発明による特徴を踏まえて最初から設計されたシステムにおいて、これらのモジュールをオペレーティングシステム又はコード全体に組み込んでもよく、したがってこれらのモジュールは別個のエンティティとして識別可能でない場合がある。
【００２７】
セル選択
現在の３ＧＰＰ標準規格文書によれば、移動電話３は、移動電話３がオンにされたとき、（Ｕ）ＳＩＭが利用可能でない場合、登録が拒否されたとき、及び「適切な」セルが見つからなかったとき、「任意のセル選択」を実行しなくてはならない。この任意のセル選択手順は、移動電話３が、セルのＰＬＭＮアイデンティティとは無関係に、該移動電話が「受入可能な」セルを特定すると共に該セルにとどまる機能に従って、Ｅ−ＵＴＲＡＮ、ＵＴＲＡＮ、及びＧＳＭの周波数帯域内の全てのＲＦチャネルを走査することを伴う。この実施形態は変更を提案し、該変更において、セル選択プロセスは、移動電話３が緊急呼サービスを提供しないセルにとどまらないように、該移動電話３が、見つかった受入可能セルが（リダイレクトなしで）緊急呼サービスを提供することができるか否かを確定することを要求する。このプロセスは、図４及び図５に示され、セル選択モジュール８９によって制御される。
【００２８】
図４は、移動電話３がオンにされたとき、（Ｕ）ＳＩＭが利用可能でない場合、登録が拒否されたとき、又は適切なセルが見つからなかったとき（遷移１）の移動電話３の動作を示す状態遷移図である。図示されるように、移動電話３はステップｓ１に入り、ここで移動電話３は、任意の「受入可能な」セル（すなわち、移動電話３がとどまって限定サービスを得ることができるセル）を見つけるために全てのＲＦチャネルにわたって走査することによって、「任意のセル選択」プロセスを実行する。該セルに関連付けられるＰＬＭＮに関わらず、少なくとも１つの受入可能なセルが見つかった場合、移動電話はステップｓ３に遷移する（遷移２）。ここで移動電話３は、見つかったセルが緊急呼サービスを提供するか否かを（直接的又は関接的に）確定する。提供しない場合（図１に示すセルＣ１と同様）、受入可能なセルは拒否され、移動電話３は、ステップｓ１に戻るように遷移する（遷移４）。ここで移動電話３は別の受入可能なセルを選択する。緊急呼サービスを提供する受入可能なセル（図１のセルＣ２又はセルＣ３等）が見つかると、移動電話はステップｓ３からステップｓ５に遷移し（遷移３）、ここで移動電話３は、セルに関連付けられる公衆地上移動ネットワーク（ＰＬＭＮ）に限定サービスで登録し、このセルにアイドルモードでとどまる。
【００２９】
ユーザーが緊急呼を要求する場合、移動電話３は現在のアイドルモードを出て、ステップｓ７に入る。ここで、移動電話３は、緊急呼モジュール９１を使用して緊急呼を発することができる、該移動電話の接続モードに入る。呼を発したか、又はユーザーがアクションをキャンセルする場合、移動電話３は「接続モードを出るときのセル選択」処理ステップｓ９に入る。ここで、移動電話３は最初に（以前のＲＦ走査の結果から）以前の受入可能なセル又は代替的な受入可能なセルを見つけようと試みる。受入可能なセルが見つからない場合、処理はステップｓ１に戻る。ここで受入可能なセルを見つけるためのフルＲＦスキャンが再び行われる。ステップｓ９において受入可能なセルが見つかった場合、移動電話３は処理ステップｓ３に戻るように遷移し（遷移５）、ここで該移動電話は見つかった受入可能なセルが緊急呼サービスを提供するか否かを確定する。
【００３０】
ステップｓ５において、移動電話３は、該移動電話のアイドルモードにあるとき、ステップｓ１１のセル再選択プロセスに入るようにトリガーされる場合がある。これは、例えば周期的に、又は現在のセルの信号電力の強さが十分でない場合にトリガーされ得る。セル再選択プロセスは、「任意のセル選択プロセス」（ｓ１）が前回実行されたときに取得されたセルデータから別の受入可能なセルを探すことを開始することができる。受入可能なセルが見つからなかった場合、処理はステップｓ１に戻り、ここで利用可能なＲＦチャネルのフルスキャンが再び実行される。受入可能なセルが見つかった場合、移動電話３はステップ３に遷移し（遷移６）、ここで移動電話３は、見つかった受入可能なセルが緊急呼サービスを提供することができるか否かを確定する。
【００３１】
図５は、図４に示すステップｓ３において移動電話３によって実行される処理ステップを示している。上述したように、ステップｓ３は、受入可能なセルが見つかったとき、遷移２、５、又は６から開始する。ステップｓ１５において、移動電話３は、見つかった受入可能なセルによってサポートされている無線アクセス技術（ＲＡＴ）を確定する。ＲＡＴがＥ−ＵＴＲＡである場合、処理はステップｓ１７に進む。ここで、移動電話３はセルのブロードキャスト制御チャネル（ＢＣＣＨ）を読み取り、該セルに関するブロードキャストシステム情報を復号する。次に、ステップｓ１９において、移動電話３は、復号されたシステム情報が、セルがリダイレクトなしで緊急呼を実行することができるか否かを直接的に又は間接的に示す情報を含むか否かを検証する。情報が存在しない場合、又は存在するが非サポートに設定されている場合、セルは拒否され、処理は図４に示すステップｓ１に戻る（遷移４）。情報が存在し、かつサポートに設定されている場合、セルは選択され、処理は図４に示すステップｓ５に進む（遷移３）。ステップｓ１５において、移動電話３がＲＡＴがＧＳＭ又はＵＴＲＡであると確定する場合、これらのタイプのセルにおいて音声サービスは常に利用可能であるため、セルは選択され、処理は図４に示すステップｓ５に進む（遷移３）。
【００３２】
セルシステム情報
当業者であれば理解するように、上記で論考したセル選択プロセスを実施するために、移動電話３は、受入可能なセルがリダイレクトなしで緊急呼サービスを提供することができるか否かを確定する。この確定をサポートするために、Ｅ−ＵＴＲＡ無線アクセスネットワーク５−１及び５−２は、好ましくはそのシステム情報内に埋め込まれる特定のパラメーター（「SystemInformation-BlockType1」メッセージ）を含むように配置され、これは該ネットワークのブロードキャスト制御チャネルを介してブロードキャストされ、呼サービスがサポートされているか否かを特定する。セルが２つ以上のＰＬＭＮによって使用されている場合、セルを使用するＰＬＭＮ毎にそれぞれのパラメーターを提供することができる。移動電話３に、緊急呼をサポートするネットワーク７のＰＬＭＮアイデンティティを示すことが必要な場合、以下のようなパラメータを含めることができる；
【数１】
0005459517.tif 000002
【００３３】
次に、移動電話３はこの情報を使用して、少なくとも１つのＰＬＭＮがリダイレクトなしで緊急呼サービスを提供することが可能であるか否かを確定する。可能である場合、セルは限定サービスでの登録のために選択されることができる。
【００３４】
代替的に、以下のように、ＰＬＭＮアイデンティティとは無関係に、パラメーターをセルに直接リンクすることができる：
【数２】
0005459517.tif 000003
【００３５】
特定のパラメーターが、セルによってブロードキャストされるシステム情報内に含まれてない場合、ＵＥは、他のブロードキャスト情報から確定を行うことができる。例えば、ブロードキャストシステム情報が、セルがＶｏＩＰサービスをサポートすることができるか又はできないかを示す場合、移動電話３はこの情報を使用して、このセルを通じて緊急呼を確立することができるか否かを確定することができる。具体的には、ＶｏＩＰがサポートされている場合、ＵＥは、リダイレクトなしで緊急呼がサポートされていることを推測することができ、ＶｏＩＰがサポートされていない場合、移動電話３は、異なるセル（ＧＥＲＡＮセル又はＵＴＲＡＮセル等）を通じて緊急呼をリダイレクトしなくてはならないことを推測することができる。同様に、ブロードキャストシステム情報が、セルがＣＳフォールバックをサポートすることができるか又はできないかを示す場合、移動電話３は、この情報を使用して、このセルを通じて緊急呼を確立することができるか否かを確定することができる。具体的には、ＣＳフォールバックがサポートされている場合、移動電話３は、緊急呼がリダイレクトなしでサポートされないことを推測することができ、ＣＳフォールバックがサポートされていない場合、移動電話３は、緊急呼サービスがサポートされていることを推測することができる。
【００３６】
変更形態及び代替形態
詳細な実施形態を上記で説明した。当業者であれば、上記の実施形態に対し、該実施形態において具現化された本発明から利益を受けながら、多くの変更形態及び代替形態を作成することができることを理解されよう。ここで、例示としてのみ、これらの代替形態及び変形形態のうちのいくつかを説明する。
【００３７】
上記の実施形態において、多くのソフトウェアモジュールを説明した。当業者であれば理解するように、ソフトウェアモジュールは、コンパイル済みの形式又はコンパイルされていない形式で提供することができ、コアネットワーク、無線アクセスネットワーク、又は移動電話に、コンピューターネットワークを介した信号として、又は記録媒体で供給することができる。さらに、このソフトウェアの一部又は全てによって実行される機能は、１つ又は複数の専用ハードウェア回路を使用して実行することができる。しかしながら、ソフトウェアモジュールの使用によって、無線アクセスネットワーク５及び移動電話３を、それらの機能を更新するために更新することが容易になるため、ソフトウェアモジュールの使用が好ましい。
【００３８】
上記の実施形態において、多くの無線アクセスネットワークと通信する移動電話が提供された。当業者であれば理解するように、本発明は、ラップトップコンピューター、携帯情報端末、又は他のハンドヘルドの可搬性コンピューター装置のような他のタイプのユーザー機器（ＵＥ）に適用可能である。
【００３９】
上記の実施形態では、各無線アクセスネットワークは独自のコアネットワーク７に接続された。当業者であれば理解するように、セルはネットワーク共有アーキテクチャの一部とすることができ、該アーキテクチャにおいて、同じセルを使用するいくつかのコアネットワーク７が存在する場合があり、これらのネットワークのうちのいくつかのみがリダイレクトなしの緊急呼サービスをサポートする場合がある。
【００４０】
図４は、セルが緊急呼サービスを実行することができるか否かを考慮してセル選択プロセスが実行される特殊な方法を示している。当業者であれば理解するように、セル選択プロセスは図４に示したものに正確に準拠しなくてもよい。例えば、移動電話がセル再選択を実行するようにトリガーされるとき、処理は、フルＲＦスキャンが実行されるように、直接ｓ１にジャンプしてもよい。
【図１】
0005459517.tif 000004
【図２】
0005459517.tif 000005
【図３】
0005459517.tif 000006
【図４】
0005459517.tif 000007
【図５】
0005459517.tif 000008